(57)【要約】      （修正有）【課題】出力信号フォーマットに合わせた信号処理を行うテレビジョンカメラ装置を提供する。【解決手段】所定の第１のフォーマットで撮像される撮像部と、上記撮像部からの第１のフォーマットの映像信号を上記撮像フォーマットと異なる第２のフォーマットに変換するフォーマット変換部と、上記フォーマット変換部からの第２のフォーマットの映像信号を処理する映像信号処理部と、上記フォーマット変換部および上記映像信号処理部を制御する制御部からなり、上記フォーマット変換部が上記第２のフォーマットの映像信号を上記映像信号処理部に出力すると共に上記制御部は、上記フォーマット変換部から出力される上記第２のフォーマットの映像信号に応じて上記映像信号処理部を制御し、少なくとも上記第２のフォーマットの映像信号に合致する輪郭強調を行うように構成される。【選択図】図１
2006165932.tif 000002
【特許請求の範囲】
【請求項１】
所定の第１のフォーマットで撮像される撮像部と、上記撮像部からの第１のフォーマットの映像信号を上記撮像フォーマットと異なる第２のフォーマットに変換するフォーマット変換部と、上記フォーマット変換部からの第２のフォーマットの映像信号を処理する映像信号処理部と、上記フォーマット変換部および上記映像信号処理部を制御する制御部からなり、上記フォーマット変換部が上記第２のフォーマットの映像信号を上記映像信号処理部に出力すると共に上記制御部は、上記フォーマット変換部から出力される上記第２のフォーマットの映像信号に応じて上記映像信号処理部を制御し、少なくとも上記第２のフォーマットの映像信号に合致する輪郭強調を行うことを特徴とするテレビジョンカメラ装置。
【請求項２】
所定の第１のフォーマットで撮像される撮像部と、上記撮像部からの第１のフォーマットの映像信号を上記第１のフォーマットの映像信号と異なる第２のフォーマットの映像信号に変換するフォーマット変換部と、上記撮像部から得られる上記第１のフォーマットの映像信号と上記フォーマット変換部から得られる上記第２のフォーマットの映像信号のいずれか一方を選択する選択手段と、上記選択手段からの出力信号を処理する映像信号処理部と、上記フォーマット変換部および上記映像信号処理部を制御する制御部からなり、上記制御部が上記選択手段を制御して得られる上記第１のフォーマットの映像信号か、または、上記第２のフォーマットの映像信号かに応じて上記映像信号処理部を制御し、少なくとも上記選択手段から出力される上記第１のフォーマットの映像信号、または、上記第２のフォーマットの映像信号に合致する輪郭強調を行うことを特徴とするテレビジョンカメラ装置。
【請求項３】
請求項１または２記載のテレビジョンカメラ装置において、上記第１のフォーマットの映像信号は、ＨＤＴＶ方式の映像信号であり、上記第２のフォーマットの映像信号は、標準ＴＶ方式の映像信号であることを特徴とするテレビジョンカメラ装置。
【発明の詳細な説明】
【技術分野】
【０００１】
本発明は、テレビジョンカメラ装置に関し、特に、各種のテレビジョン（ＴＶ）信号フォーマットの映像信号を適宜選択出力することが可能なテレビジョンカメラ装置に関するものである。
【背景技術】
【０００２】
近年、テレビジョン映像フォーマットには、ＨＤ（High Definition）ＴＶやＳＤ（Standard Definition）ＴＶ（現行の標準方式ＴＶ）等が多数入り乱れて使用されている。このため、各種ＴＶフォーマットの映像信号を同時に出力できるマルチスタンダードカメラの需要が高まっている。このようなカメラ装置は、一般にカメラヘッド（映像の撮像部）とＣＣＵ（Camera Control Unit）が分離されており、カメラヘッド側では、撮像装置の走査フォーマットに合ったカメラとして、例えば、順次走査カメラ（Progressive Scanning Camera）又はＨＤＴＶカメラとして動作している。一方、ＣＣＵ側では、カメラヘッド側からの信号を、例えば、ＳＤＴＶ信号に変換したり、別のＴＶフォーマットのＨＤＴＶやＳＤＴＶに変換し出力する方法がとられている。このため、通常カメラヘッド側で行われる輪郭強調やガンマ補正等の映像信号処理は、順次走査信号あるいはＨＤＴＶ信号の形で処理され、必ずしも、実際に使用されるＴＶフォーマットの出力信号に最適な信号処理がなされないため、モニタ等で再生された画質の劣化が避けられなかった。
【０００３】
図７は、従来のテレビジョンカメラ装置の概略構成を示すブロック図である。図７において、テレビジョンカメラ装置は、カメラヘッド部７０１とカメラ制御部（ＣＣＵ）７０３およびカメラヘッド部７０１からの映像信号をカメラ制御部７０３に伝送する伝送路７０２から構成されている。カメラヘッド部７０１は、高精細撮像素子を有する撮像部７０４、Ａ−Ｄ変換部７０５、映像信号処理部７０６および送信処理部７０７から構成されている。高精細撮像素子を有する撮像部７０４は、例えば、順次走査方式で、走査線７２０本、１６：９のＨＤＴＶ方式の映像信号が出力される。Ａ−Ｄ変換部７０５は、撮像部７０４からの映像信号をデジタル信号に変換し、映像信号処理部７０６に供給する。映像信号処理部７０６では、例えば、ＨＤＴＶフォーマットで輪郭強調やガンマ補正等の画像処理を施される。映像信号処理部７０６で各種の処理をされたデジタル映像信号は、送信処理部７０７で伝送に適した変調信号に変換され、伝送路７０２を介してカメラ制御部７０３に送られる。
【０００４】
カメラ制御部７０３は、受信処理部７０８、ファーマット変換部７０９および出力Ｉ／Ｆ（インタフェース）部７１０から構成されている。受信処理部７０８は、カメラヘッド部７０１から送られてくる伝送信号を復調し、ファーマット変換部７０９に供給する。ファーマット変換部７０９では、ＴＶ方式の異なる方式、例えば、現行標準のＴＶ方式等に変換され、出力Ｉ／Ｆ部７１０で所定の出力規格信号に変換され、出力端子７１１から映像信号が出力される。なお、カメラヘッド部とカメラ制御部が分離されていない方式のテレビジョンカメラ装置でも伝送部を除くと同様の信号処理が行われている。
【０００５】
而して、上記従来のテレビジョンカメラ装置では、まず、カメラヘッド部７０１の映像信号処理部７０６で輪郭強調やガンマ補正等の画像処理を施される。これを図５および図６を用いて説明する。図５（Ａ）は、映像信号処理部７０６に入力される映像信号波形を示す。この映像信号波形は、映像信号処理部７０６で輪郭強調されると、図５（Ｂ）に示すように輪郭強調（これを１００％とする。）される。この輪郭強調された、映像信号がカメラ制御部７０３に送られ、フォーマット変換部７０９で、例えば、現行標準のＴＶ方式に変換されると、映像信号処理部７０６で輪郭強調された映像信号の輪郭強調の程度が図５（Ｃ）に示すように約３０％に減少し、輪郭強調の効果が減少する。同様に映像信号処理部７０６でγ補正される場合、映像信号処理部７０６では、ＨＤＴＶ方式の信号であるため、図６の曲線ＨＤで示すγ特性に補正される。しかし、フォーマット変換部７０９では、現行標準のＴＶ方式に変換されると、現行標準のＴＶ方式のγ補正は、図６の曲線ＳＤで示されるように補正する必要があるが、従来のカメラ制御部７０３には、このような機能はなく、カメラヘッド部７０１の映像信号処理部７０６でＨＤＴＶ方式のγ補正をされたままであり、種々の問題がある。
【０００６】
【特許文献１】特開２０００−１７４５９０号公報
【発明の開示】
【発明が解決しようとする課題】
【０００７】
通常カメラヘッド側で行われる輪郭強調やガンマ補正等の映像信号処理は、順次走査信号あるいはＨＤＴＶ信号の形で処理され、カメラ制御部のＴＶフォーマット変換部で変換された出力信号に最適な信号処理がなされないため、モニタ等で再生された画質の劣化が避けられなかった。
【０００８】
本発明の目的は、出力信号フォーマットに合わせた信号処理を行うテレビジョンカメラ装置を提供することである。
【０００９】
本発明の他の目的は、選択出力される映像信号に最適な映像信号処理を行うテレビジョンカメラ装置を提供することである。
【課題を解決するための手段】
【００１０】
本発明は、所定の第１のフォーマットで撮像される撮像部と、上記撮像部からの第１のフォーマットの映像信号を上記撮像フォーマットと異なる第２のフォーマットに変換するフォーマット変換部と、上記フォーマット変換部からの第２のフォーマットの映像信号を処理する映像信号処理部と、上記フォーマット変換部および上記映像信号処理部を制御する制御部からなり、上記フォーマット変換部が上記第２のフォーマットの映像信号を上記映像信号処理部に出力すると共に上記制御部は、上記フォーマット変換部から出力される上記第２のフォーマットの映像信号に応じて上記映像信号処理部を制御し、少なくとも上記第２のフォーマットの映像信号に合致する輪郭強調を行うように構成される。
【００１１】
また、本発明は、所定の第１のフォーマットで撮像される撮像部と、上記撮像部からの第１のフォーマットの映像信号を上記第１のフォーマットの映像信号と異なる第２のフォーマットの映像信号に変換するフォーマット変換部と、上記撮像部から得られる上記第１のフォーマットの映像信号と上記フォーマット変換部から得られる上記第２のフォーマットの映像信号のいずれか一方を選択する選択手段と、上記選択手段からの出力信号を処理する映像信号処理部と、上記フォーマット変換部および上記映像信号処理部を制御する制御部からなり、上記制御部が上記選択手段を制御して得られる上記第１のフォーマットの映像信号か、または、上記第２のフォーマットの映像信号かに応じて上記映像信号処理部を制御し、少なくとも上記選択手段から出力される上記第１のフォーマットの映像信号、または、上記第２のフォーマットの映像信号に合致する輪郭強調を行うように構成される。
【００１２】
また、本発明のテレビジョンカメラ装置において、上記第１のフォーマットの映像信号は、ＨＤＴＶ方式の映像信号であり、上記第２のフォーマットの映像信号は、標準ＴＶ方式の映像信号である。
【００１３】
また、本発明のテレビジョンカメラ装置において、上記映像信号処理部は、更に、少なくとも上記選択手段から出力される上記第１のフォーマットの映像信号、または、上記第２のフォーマットの映像信号に合致するγ補正およびマスキング補正を行うように構成される。
【発明の効果】
【００１４】
以上説明したように本発明を用いると、映像信号のフォーマットを変換した後に輪郭強調等の映像信号処理を行うことが可能となり、出力信号に最適な映像信号処理が実現できることで、マルチスタンダードカメラ等の出力映像信号の画質向上が図れる等の効果がある。
【発明を実施するための最良の形態】
【００１５】
図１は、本発明の一実施例の概略構成を説明するためのブロック図である。図１において、１０１は、撮像部であり、例えば、高精細撮像素子で構成され、順次走査方式で、走査線７２０本、１６：９のＨＤＴＶ方式の映像信号が出力される。ここで、撮像部１０１で撮像される所定方式の映像信号を第１のフォーマットの映像信号と称することにする。１０２は、Ａ−Ｄ変換部であり、撮像部１０１からの映像信号をデジタル信号に変換し、スイッチ１０４あるいはフォーマット変換部１０３に供給する。なお、フォーマット変換部１０３については後述する。スイッチ１０４は、Ａ−Ｄ変換部１０２からのデジタル映像信号とフォーマット変換部１０３からのデジタル映像信号とを選択し、映像信号処理部１０７に選択入力する。出力回路部１０８は、映像信号処理部１０７からの映像信号を以降に伝送する信号の形式に変換し、出力端子１０９から映像信号を出力する。また、制御部１０５は、適宜操作部１０６からの指示に基づいて、フォーマット変換部１０３を制御すると共に、スイッチ１０４、映像信号処理部１０７および出力回路部１０８を制御する。
【００１６】
図２（Ａ）は、フォーマット変換部１０３の具体的な一実施例を説明するためのブロック図である。図２（Ａ）において、入力端子２０１には、Ａ−Ｄ変換部１０２からのデジタル出力信号が印加される。本実施例では、順次走査方式で、走査線７２０本、１６：９のＨＤＴＶ方式のデジタル化された映像信号が印加される。入力端子２０１に供給されたデジタル信号は、２０２−１、２０２−２、・・・２０２−ｎの１水平走査時間遅延線（１Ｈ）に順次供給される。なお、１水平走査時間遅延線２０２−１、２０２−２、・・・２０２−ｎを総称する場合は、１水平走査時間遅延線２０２と称する。それぞれの１水平走査時間遅延線２０２の出力は、それぞれ乗算器２０３−１、２０３−２、・・・２０３−ｎに印加され、それぞれの乗算器２０３−１、２０３−２、・・・２０３−ｎで所定の係数Ｋ１、Ｋ２、・・・Ｋｎが乗算され、加算器２０４に供給される。加算器２０４の出力は、選択部２０５および時間軸変換部２０６で所定のＴＶ方式に変換され、出力端子２０８からスイッチ回路１０４の端子Ｂに出力される。２０７は、制御部であり、ＣＰＵで構成され、選択部２０５および時間軸変換部２０６を制御すると共に乗算器２０３−１、２０３−２、・・・２０３−ｎの各係数Ｋ１、Ｋ２、・・・Ｋｎを出力する。なお、制御部２０７は、図１に示す制御部１０５と共通にすることもできる。ここで、フォーマット変換部１０３で変換される所定方式の映像信号を第２のフォーマットの映像信号と称することにする。
【００１７】
次に、図２（Ａ）に示すフォーマット変換部１０３の動作を図３および図４を用いて説明する。図１でも説明したように撮像部１０１は、例えば、高精細撮像素子で構成され、順次走査方式で、走査線７２０本、１６：９のＨＤＴＶ方式の映像信号が出力され、この出力信号がＡ−Ｄ変換部１０２でデジタル信号に変換され、このデジタル信号が入力端子２０１に入力される。図３（Ａ）は、入力端子２０１に入力される上記７２０本の順次走査方式、走査線７２０本、１６：９のＨＤＴＶ方式の映像信号を模式的に示したものである。従って、この順次走査方式で、走査線７２０本、１６：９のＨＤＴＶ方式の映像信号をフォーマット変換部１０３で、例えば、標準テレビ方式、即ち、インターレース方式、走査線５２５本、４：３の映像信号に変換する。まず、入力端子２０１に入力される映像信号は、１水平走査時間遅延線２０２−１、２０２−２、・・・２０２−ｎと乗算器２０３−１、２０３−２、・・・２０３−ｎ、加算器２０４および第１、第２フィールドを指定するフィールド指定部２０５の出力に基づき各フィールド毎の係数で制御する制御部２０７で制御される各係数Ｋ１、Ｋ２、・・・Ｋｎを適宜選択することにより走査線５２５本の映像信号に変換される。この変換された走査線５２５本の順次式映像信号は、図３（Ｂ）に示すように第１フィールドと第２フィールドからなるインターレース映像に変換される。
【００１８】
次に、時間軸変換部２０６で１６：９の画像を４：３の画像に変換する。この変換は、例えば、図４に示すように行われる。即ち、図４（Ａ）は、１６：９のＨＤＴＶの一水平走査線の期間を表している。図４（Ｂ）は、その拡大図である。図４（Ｃ）は、１６：９のＨＤＴＶの一水平走査線の期間の信号から４：３の標準ＴＶの一水平走査線の期間の信号を抽出し、この信号を標準ＴＶの一水平走査線の期間（約６４μsec）に伸張する。制御部２０７は、乗算器２０３および時間軸変換部２０６をそれぞれ制御する。このようにしてフォーマット変換部１０３は、順次走査方式で、走査線７２０本、１６：９のＨＤＴＶ方式の映像信号を標準テレビ方式、即ち、インターレース方式、走査線５２５本、４：３の映像信号に変換する。
【００１９】
図２（Ｂ）は、映像信号処理部１０７の具体的な構成を示す図である。図２（Ｂ）において、入力端子２１１は、切替スイッチ１０４からの信号が印加される。２１２は、例えば、ＨＤＴＶ方式用映像信号処理部、２１３は、例えば、標準ＴＶ方式用映像信号処理部、入力端子２１４は、制御部１０５からの制御信号が入力される。２１５は、出力端子で、出力回路１０８に接続される。そして、ＨＤＴＶ方式用映像信号処理部２１２は、ここでは、順次走査方式で、走査線７２０本、１６：９のＨＤＴＶ方式の映像信号の輪郭強調、γ補正、マスキング補正が実行される。標準ＴＶ方式用映像信号処理部２１３では、標準テレビ方式（インターレース方式）の走査線５２５本、４：３の映像信号の輪郭強調、γ補正、マスキング補正が実行される。なお、本実施例では、ＨＤＴＶ方式用映像信号処理部２１２および標準ＴＶ方式用映像信号処理部２１３は、説明の都合上、区別して表現してあるが、実際の装置では、ＦＰＧＡ（Field Programmable Logic Array）で構成されており、制御部１０５からの論理式を入力することで映像信号処理部１０７は、ＨＤＴＶ方式用映像信号処理部２１２として動作したり、標準ＴＶ方式用映像信号処理部２１３として動作するように構成される。また、ＦＰＧＡの構成については、従来から良く知られているので詳細な説明は省略する。
【００２０】
次に、図１に示す本発明のテレビジョンカメラ装置の動作について図５および図６を用いて説明する。まず、ＨＤＴＶ方式を選択する場合について説明する。操作部１０６を操作して制御部１０５を駆動してスイッチ１０４の端子Ａを選択すると、Ａ−Ｄ変換部１０２の出力は、端子Ａを介して映像信号処理部１０７に供給される。また、制御部１０５は、入力端子２１４を介してＨＤＴＶ方式用映像信号処理部２１２を選択する。従って、この場合、ＨＤＴＶ方式用映像信号処理部２１２には、順次走査方式、走査線７２０本、１６：９のＨＤＴＶ方式の映像信号が供給され、ここで各種信号処理が行われる。この各種信号処理について説明する。
（１）映像信号の輪郭強調について説明する。ＨＤＴＶ方式用映像信号処理部２１２に入力される映像信号は、走査線７２０本、１６：９のＨＤＴＶ方式の映像信号であるので、制御部１０５は、入力映像信号に対して順次方式で、走査線７２０本、１６：９のＨＤＴＶ方式の映像信号の輪郭強調を実行するようにＨＤＴＶ方式用映像信号処理部２１２を動作させる。実際の回路では、映像信号処理部１０７は、ＦＰＧＡ（Field Programmable Gate Array）で構成されており、制御部１０５からの論理式が入力され、ＨＤＴＶ方式の映像信号の輪郭強調がなされるように実行される。その結果、図５（Ｂ）に示される輪郭強調（１００％）がなされ、出力回路部１０８から出力される。
（２）また、映像信号のγ補正をする場合は、ＨＤＴＶ方式用映像信号処理部２１２で図６に示す曲線ＨＤで示すようなγ補正がなされる。この場合も、映像信号処理部１０７は、ＦＰＧＡで構成されているので、制御部１０５からの制御で実行される。
（３）また、マスキング補正については、ＨＤＴＶ方式用映像信号処理部２１２で、例えば、Ｙ＝０．７０Ｇ＋０．２３Ｒ＋０．０７Ｂ（ここで、Ｙ：輝度信号、Ｇ：緑色信号、Ｒ：赤色信号、Ｂ：青色信号を表す。）のように各色の補正が行われる。
【００２１】
上記のような各種の補正処理が行われた後、出力回路１０８を介して出力端子１０９から出力されるので、結果として順次方式で、走査線７２０本、１６：９のＨＤＴＶ方式の映像信号は、この信号形態に合った輪郭強調、γ補正、マスキング補正が行われる。
【００２２】
次に、操作部１０６を操作して制御部１０５を駆動してスイッチ１０４の端子Ｂを選択すると、フォーマット変換部１０３の出力は、端子Ｂを介して映像信号処理部１０７に供給される。また、制御部１０５は、入力端子２１４を介して標準ＴＶ方式用映像信号処理部２１３を選択する。従って、この場合、標準ＴＶ方式用映像信号処理部２１３には、フォーマット変換部１０３でフォーマット変換された標準テレビ方式（インターレース方式）の走査線５２５本、４：３の映像信号が供給され、ここで各種信号処理が行われる。この各種信号処理について説明する。
（１）映像信号の輪郭強調について説明する。標準ＴＶ方式用映像信号処理部２１３に入力される映像信号は、標準テレビ方式（インターレース方式）の走査線５２５本、４：３の映像信号であるので、制御部１０５は、入力映像信号に対して標準テレビ方式（インターレース方式）の走査線５２５本、４：３の映像信号の輪郭強調を実行するように標準ＴＶ方式用映像信号処理部２１３を動作させる。実際の回路では、映像信号処理部１０７は、ＦＰＧＡ（Field Programmable Gate Array）で構成されており、制御部１０５からの論理式が入力され、標準ＴＶ方式の映像信号の輪郭強調がなされるように実行される。図５（Ｄ）は、順次方式で、走査線７２０本、１６：９のＨＤＴＶ方式の映像信号を模式的に示したものである。また、図５（Ｅ）は、フォーマット変換部１０３でフーマット変換された標準テレビ方式（インターレース方式）の走査線５２５本、４：３の映像信号を模式的に示したものである。図５（Ｆ）は、標準テレビ方式（インターレース方式）の走査線５２５本、４：３の映像信号に標準ＴＶ方式用映像信号処理部２１３で輪郭強調（１００％）がなされた場合の映像信号波形を示す。このように標準ＴＶ方式用映像信号に十分な輪郭強調が行われることを示している。この輪郭強調された映像信号が出力回路部１０８から出力される。
（２）また、映像信号のγ補正をする場合は、標準ＴＶ方式用映像信号処理部２１３で図６に示す曲線ＳＤで示すようなγ補正がなされる。この場合も、映像信号処理部１０７は、ＦＰＧＡで構成されているので、制御部１０５からの制御で実行される。
（３）また、マスキング補正については、標準ＴＶ方式用映像信号処理部２１３で、例えば、Ｙ＝０．５９Ｇ＋０．３０Ｒ＋０．１１Ｂ（ここで、Ｙ：輝度信号、Ｇ：緑色信号、Ｒ：赤色信号、Ｂ：青色信号を表す。）のように各色の補正が行われる。
【００２３】
上記のようにフォーマット変換された標準テレビ方式（インターレース方式）の走査線５２５本、４：３の映像信号に標準ＴＶ方式用映像信号処理部２１３で各種の補正処理が行われた後、出力回路１０８を介して出力端子１０９から出力されるので、結果として標準テレビ方式（インターレース方式）の走査線５２５本、４：３の映像は、この信号形態に合った輪郭強調、γ補正、マスキング補正が行われる。なお、上記実施例では、フォーマット変換部１０３は、順次方式で、走査線７２０本、１６：９のＨＤＴＶ方式の映像信号を標準テレビ方式（インターレース方式）の走査線５２５本、４：３の映像信号に変換する場合について説明したが、これに限定されるものではなく、走査線１０８０本、インターレース方式のＨＤＴＶ方式あるいは走査線５２５本の順次方式等種々の方式に変換することも可能である。そして、映像信号処理部１０７も、フォーマット変換部１０３で変換された映像信号に合った輪郭強調、γ補正あるいはマスキング補正を行うように、例えば、ＦＰＧＡの各定数を制御部１０５で変更することで実現できることは言うまでもない。
【００２４】
以上詳細に説明したが、本発明では、マルチスタンダードカメラで各種のフォーマットの出力を得る場合、フーマット変換した後、各フォーマットに合わせた輪郭強調、γ補正、マスキング補正等を行っているので、各フォーマットの映像信号に最適な輪郭強調、γ補正、マスキング補正等を行った映像信号が得られる。また、これらを実行するために本発明では、映像信号処理部をマルチスタンダードタイプに対応する必要があるが、現在では、ＦＰＧＡが良く使用され、デジタル信号処理ではクロックの周波数の変更や、メモリ制御用のカウンタ数を変える程度で対応でき容易に実現することができる。
【００２５】
以上のように本発明では、出力ＴＶ信号フォーマットに合せた映像信号処理を行うことになるので、前述したような画質劣化を引き起こす要因がなくなり、常に高画質の出力信号がえられるマルチカメラ装置が実現できる。
【００２６】
以上、本発明について詳細に説明したが、本発明は、ここに記載されたテレビジョンカメラ装置の実施例に限定されるものではなく、上記以外のテレビジョンカメラ装置に広く適応することが出来ることは、言うまでも無い。
【図面の簡単な説明】
【００２７】
【図１】本発明の一実施例の概略構成を示すブロック図である。
【図２】図１に示す実施例のフォーマット変換部、映像信号処理部の具体的な構成を示すブロック図である。
【図３】本発明のフォーマット変換を説明するための図である。
【図４】本発明のフォーマット変換を説明するための図である。
【図５】本発明の輪郭強調を説明するための図である。
【図６】本発明のγ補正を説明するための図である。
【図７】従来のテレビジョンカメラ装置の一例を説明するためのブロック図である。
【符号の説明】
【００２８】
１０１、７０４：撮像部、１０２、７０５：Ａ−Ｄ変換部、１０３、７０９：ファーマット変換部、１０４：スイッチ、１０５、２０７：制御部、１０６：操作部、１０７、７０６：映像信号処理部、１０８：出力回路部、１０９、２１５、７１１：出力端子、２０１、２１１：入力端子、２０２：１水平走査期間遅延線、２０３：乗算器、２０４：加算器、２０５：フィールド指定部、２０６：時間軸変換部、２０８：出力部、２１２：ＨＤＴＶ方式用映像信号処理部、２１３：標準ＴＶ方式用映像信号処理部、２１４：制御信号入力端子、７０１：カメラヘッド部、７０２：伝送路、７０３：カメラ制御部、７０７：送信処理部、７０８：受信処理部、７１０：出力Ｉ／Ｆ部。
【図１】
2006165932.tif 000003
【図２】
2006165932.tif 000004
【図３】
2006165932.tif 000005
【図４】
2006165932.tif 000006
【図５】
2006165932.tif 000007
【図６】
2006165932.tif 000008
【図７】
2006165932.tif 000009